(57)【要約】【課題】内部構造を有する長尺の型材からなる第１枠部材と第２枠部材とを所定長さに切断し、互いの切断面を突き合わせて連結して枠組み形成してなるパネル枠体装置において、コーナー部でエッジや金属バリを無くして安全性を高めるとともに、外観性においても優れたパネル枠体装置を提供する。【解決手段】正面視において第１枠部材６は第２枠部材７よりも横幅が広く、第１枠部材を両側部に配する縦枠とし、第２枠部材を上下部の少なくとも一方に配する横枠とし、第１枠部材の外側方へ突出した部分を中実部１６とし、第２枠部材の端部と、第２枠部材の厚さに相当する第１枠部材の内側部のみを４５°に切断して傾斜切断面４３を形成し、中実部は第１枠部材の長手方向に直交する面で切断して水平切断面４４とし、第１枠部材と第２枠部材の傾斜切断面を突き合わせて連結し、水平切断面を露出させる。【選択図】        図５
2008069609.tif 000002
【特許請求の範囲】
【請求項１】
内部構造を有する長尺の型材からなる第１枠部材と第２枠部材とを所定長さに切断し、互いの切断面を突き合わせて連結して枠組み形成してなるパネル枠体装置であって、正面視において前記第１枠部材は前記第２枠部材よりも横幅が広く、前記第１枠部材を両側部に配する縦枠とし、前記第２枠部材を上下部の少なくとも一方に配する横枠とし、前記第１枠部材の外側方へ突出した部分を中実部とし、前記第２枠部材の端部と、該第２枠部材の厚さに相当する前記第１枠部材の内側部のみを４５°に切断して傾斜切断面を形成するとともに、前記中実部は第１枠部材の長手方向に直交する面で切断して水平切断面とし、前記第１枠部材の傾斜切断面と前記第２枠部材の傾斜切断面を突き合わせて連結し、前記水平切断面を露出させてなることを特徴とするパネル枠体装置。
【請求項２】
前記第１枠部材と第２枠部材はそれぞれ互いに弾性嵌合可能な表側枠部材と裏側枠部材とからなり、前記第１枠部材を構成する表側枠部材と裏側枠部材は、それぞれ正面視又は背面視において外側方へ突出した中実部を有するとともに、該中実部に対応する水平切断面を有し、これら二種類の表側枠部材を連結して表側枠体を形成するとともに、各裏側枠部材を対応する表側枠体の表側枠部材に弾性嵌合して裏側枠体を形成し、前記表側枠体と裏側枠体のコーナー部において前記水平切断面が露出している請求項１記載のパネル枠体装置。
【請求項３】
前記表側枠部材には、枠体を支持する支柱の内側面に沿って延びた内面部を有し、該内面部の内側面に前記ガラス板を保持する凹溝を形成するともに、該凹溝より裏側位置の内側面に段落ち部を形成し、裏側枠部材には、パネル厚さ方向に延びた内面板を有し、該内面板の先端は、前記表側枠部材の段落ち部の壁面に形成した係合凹部に嵌合し、更に前記表側枠部材の内面部の先端片を受け入れる係合段部を形成するとともに、前記内面板の基部に形成した溝部に、先端部が外側に断面ヘ字状に屈曲して板ばねを嵌着し、該板ばねの屈曲部が前記裏側枠部材を表側枠部材に嵌合したときに、前記表側枠部材の段落ち部の内面に形成した係合溝に弾性的に係合してなる請求項２記載のパネル枠体装置。
【請求項４】
前記枠体のコーナー部において、前記水平切断面の端部を面取り加工してなる請求項１〜３何れかに記載のパネル枠体装置。
【発明の詳細な説明】
【技術分野】
【０００１】
本発明は、パネル枠体装置に係わり、更に詳しくは４本の型材を連結若しくは接合し、例えばその内周部でパネルの厚さ方向中央部にガラス板を保持した構造のパネル枠体装置に関するものである。
【背景技術】
【０００２】
従来から、両側に立設した支柱と、該支柱間の上下に間隔を置いて横桟を渡設し、前記支柱と横桟で囲まれた空間内であって、厚さ方向中央部にガラス板を保持してなるガラスパネル装置は各種提供されている。この場合、ガラス板を保持する構造として、一般的には支柱の内側面と横桟の下面又は上面に凹溝を形成し、前記空間よりも縦又は横寸法の何れかが小さいガラス板を空間内に配置し、表裏両側から凹溝内へパッキンを嵌着し、両パッキンでガラス板を保持している。
【０００３】
また、特許文献１には、上下に複数の分割ガラス板を装着する場合には、天井と床面に天レールと地レールを取付けるとともに、一対の支柱を間隔を隔てて立設し、更に両支柱間に複数の横桟部材を上下所定間隔毎に渡設し、支柱と天レール、地レール及び横桟部材で枠構成された部分にガラス板を保持する構造が開示されている。具体的には、天レールと地レールは、固定レールとカバーレールとからなり、固定レールを天井と床面の所定位置に取付けた後、カバーレールを前記固定レールに連結して、固定レールの固定側保持片とカバーレールのカバー側保持片とでガラス板を保持する凹溝部を形成し、実際には両保持片に嵌着したパッキンでガラス板の上下縁を挟んで保持するのである。尚、前記支柱の両側面には上下方向に凹溝が形成され、従来と同様に凹溝内にガラス板の側縁を位置させ、表裏両側から凹溝内にパッキンを嵌着してガラス板を保持するのである。
【０００４】
しかし、前述の特許文献１記載のものは、支柱や天レール、地レール、及び横桟部材を施工して枠構造とした後、無垢のガラス板を搬送してきて、所定の枠部分に位置させて仮保持しながらパッキンで最終的な保持を行うものであるので、施工効率が悪く、また重量の重い無垢のガラス板を取扱うので、ガラス専門業者による作業を伴い、コスト高となっていた。また、個々の横桟部材をＬ型連結金具で支柱に連結し、しかも正確な位置に連結する必要があるので、この点も施工性を悪くする原因となっている。
【０００５】
そこで、縦枠部材と横枠部材を４５°に切断した切断面を突き合わせ、内周部にガラス板を保持するとともに、縦枠部材と横枠部材を適宜な連結金具で連結する構造のパネル枠体を使用することも考慮される。しかし、特許文献２にも開示されているように、前記縦枠部材と横枠部材が同一の断面形状を有する場合しか４５°に切断して切断面をぴったりと付き合わせることは不可能である。また、切断面の角度を４５°以外の角度にすることも考慮されるが、統一性のない接合線が見えるの外観を損なうことになる。通常、縦枠部材は支柱等に一部が被さるように取付けるので、正面視において横幅は広く、この横幅に横枠部材の横幅を一致させると、パネルの中央部に幅の広い横枠部材が位置するので、外観的に重い感じを呈し、近年の好みに合わないといった課題を有している。
【特許文献１】特開２００２−１３８６０６号公報
【特許文献２】特開２００５−３３６８３３号公報
【発明の開示】
【発明が解決しようとする課題】
【０００６】
そこで、本発明が前述の状況に鑑み、解決しようとするところは、内部構造を有する長尺の型材からなる第１枠部材と第２枠部材とを所定長さに切断し、互いの切断面を突き合わせて連結して枠組み形成してなるパネル枠体装置において、コーナー部でエッジや金属バリを無くして安全性を高めるとともに、外観性においても優れたパネル枠体装置を提供する点にある。
【課題を解決するための手段】
【０００７】
本発明は、前述の課題解決のために、内部構造を有する長尺の型材からなる第１枠部材と第２枠部材とを所定長さに切断し、互いの切断面を突き合わせて連結して枠組み形成してなるパネル枠体装置であって、正面視において前記第１枠部材は前記第２枠部材よりも横幅が広く、前記第１枠部材を両側部に配する縦枠とし、前記第２枠部材を上下部の少なくとも一方に配する横枠とし、前記第１枠部材の外側方へ突出した部分を中実部とし、前記第２枠部材の端部と、該第２枠部材の厚さに相当する前記第１枠部材の内側部のみを４５°に切断して傾斜切断面を形成するとともに、前記中実部は第１枠部材の長手方向に直交する面で切断して水平切断面とし、前記第１枠部材の傾斜切断面と前記第２枠部材の傾斜切断面を突き合わせて連結し、前記水平切断面を露出させてなることを特徴とするパネル枠体装置を構成した（請求項１）。
【０００８】
ここで、前記第１枠部材と第２枠部材はそれぞれ互いに弾性嵌合可能な表側枠部材と裏側枠部材とからなり、前記第１枠部材を構成する表側枠部材と裏側枠部材は、それぞれ正面視又は背面視において外側方へ突出した中実部を有するとともに、該中実部に対応する水平切断面を有し、これら二種類の表側枠部材を連結して表側枠体を形成するとともに、各裏側枠部材を対応する表側枠体の表側枠部材に弾性嵌合して裏側枠体を形成し、前記表側枠体と裏側枠体のコーナー部において前記水平切断面が露出している（請求項２）。
【０００９】
具体的には、前記表側枠部材には、枠体を支持する支柱の内側面に沿って延びた内面部を有し、該内面部の内側面に前記ガラス板を保持する凹溝を形成するともに、該凹溝より裏側位置の内側面に段落ち部を形成し、裏側枠部材には、パネル厚さ方向に延びた内面板を有し、該内面板の先端は、前記表側枠部材の段落ち部の壁面に形成した係合凹部に嵌合し、更に前記表側枠部材の内面部の先端片を受け入れる係合段部を形成するとともに、前記内面板の基部に形成した溝部に、先端部が外側に断面ヘ字状に屈曲して板ばねを嵌着し、該板ばねの屈曲部が前記裏側枠部材を表側枠部材に嵌合したときに、前記表側枠部材の段落ち部の内面に形成した係合溝に弾性的に係合してなることが好ましい（請求項３）。
【００１０】
また、前記枠体のコーナー部において、前記水平切断面の端部を面取り加工してなることがより好ましい（請求項４）。
【発明の効果】
【００１１】
以上にしてなる請求項１に係る発明のパネル枠体装置は、内部構造を有する長尺の型材からなる第１枠部材と第２枠部材とを所定長さに切断し、互いの切断面を突き合わせて連結して枠組み形成し、しかも正面視において前記第１枠部材は前記第２枠部材よりも横幅が広く、前記第１枠部材を両側部に配する縦枠とし、前記第２枠部材を上下部の少なくとも一方に配する横枠とした場合であっても、前記第１枠部材の外側方へ突出した部分を中実部とすることにより、前記第２枠部材の端部と、該第２枠部材の厚さに相当する前記第１枠部材の内側部のみを４５°に切断して傾斜切断面を形成するとともに、前記中実部は第１枠部材の長手方向に直交する面で切断して水平切断面とすれば、前記第１枠部材の傾斜切断面と前記第２枠部材の傾斜切断面を突き合わせて連結することができ、正面視において四隅とも４５°の角度で接合線が見えるので外観的に統一性が得られるとともに、コーナー部を斜め上方から見た場合にも、コーナー部には型材の内部構造が全く見えず、水平切断面が露出しているのみであるから、外観性を損なうことがないのである。また、クーナー部は中実部の水平切断面が位置するので、従来のように４５°の鋭角なエッジや金属バリが全くなく、引っ掻き傷を付ける恐れもなく安全である。
【００１２】
請求項２によれば、第１枠部材と第２枠部材はそれぞれ互いに弾性嵌合可能な表側枠部材と裏側枠部材とからなるので、これら二種類の表側枠部材を連結すれば最小限の部品点数で目的に応じた多様な表側枠体を形成することができ、そして４本の裏側枠部材はそのまま用いることができ、各裏側枠部材を対応する表側枠体の表側枠部材に弾性嵌合すれば、互に接合された裏側枠体を形成することができる。
【００１３】
請求項３によれば、裏側枠部材の内面板の基部に形成した溝部に、先端部が外側に断面ヘ字状に屈曲して板ばねを嵌着し、該板ばねの屈曲部が裏側枠部材を表側枠部材に嵌合したときに、表側枠部材の段落ち部の内面に形成した係合溝に弾性的に係合してなるので、簡単に表側枠部材と裏側枠部材とを弾性嵌合によって連結することができるにも係わらず、容易に分離しないのであり、また両部材を連結した後には、板ばねを含め嵌合構造が内部に隠れるので、あたかも一体物の部材のように見えるのである。
【００１４】
請求項４によれば、枠体のコーナー部が面取り加工されているので、エッジや金属バリで引っ掻き傷を付ける恐れがなくなる。
【発明を実施するための最良の形態】
【００１５】
次に、添付図面に示した実施形態に基づき、本発明を更に詳細に説明する。図１は、本発明に係るパネル枠体装置を適用したガラスパネル装置の正面図を示し、図２は横断平面図、図３は縦断側面図をそれぞれ示し、図中１は天レール、２は地レール、３は笠木部材、４は巾木部材、５は支柱、６は第１枠部材、７は第２枠部材、８はガラス板、９は笠木カバーをそれぞれ示している。また、図中Ｓは天井、Ｆは床面を示している。
【００１６】
本実施形態に係るガラスパネル装置は、天井と床面にそれぞれ天レール１と地レール２を対向させて取付け、該地レール２に外嵌してレベル調整した巾木部材４の上に、所定間隔で支柱５，…を立設し、該支柱５の上端部は前記天レール１内で固定金具で取付け、そして隣接する支柱５，５間の上端部に、前記天レール１に上下スライド且つ固定可能に外嵌した笠木部材３の両端を仮止めし、前記第１枠部材６と第２枠部材７を用いて形成した二種類の枠体１０，１１にガラス板８の周囲を予め強固に保持したガラスパネルＰ１，Ｐ２を用意し、ガラスパネルＰ１を前記巾木部材４の上面に凹凸嵌合して載置した状態で両側部を前記支柱５，５の内面にネジ止めして取付け、該ガラスパネルＰ１の上面にガラスパネルＰ２を凹凸嵌合して載置した状態で前記同様に支柱５，５にネジ止めして取付け、更に該ガラスパネルＰ２の上面にガラスパネルＰ２を凹凸嵌合して載置した状態で前記同様に支柱５，５にネジ止めして取付け、これを繰り返し、最後に前記仮止めした笠木部材３を上方へ持ち上げた状態で、前記ガラスパネルＰ２の上面にガラスパネルＰ１を凹凸嵌合して載置した状態で前記同様に支柱５，５にネジ止めして取付け、そして前記笠木部材３を下降させて該ガラスパネルＰ１の上面に凹凸嵌合した状態で前記支柱５，５に本止めする。そして、最後に前記笠木部材３の表裏両面に、下端が最上段の前記ガラスパネルＰ１の上端に当接状態で前記笠木カバー９，９を嵌着する。
【００１７】
ここで、前記第１枠部材６は、アルミ押出し型材で作製し、外面側に前記笠木部材３、巾木部材４及び支柱５に外嵌する嵌合構造を有するやや厚さが厚い長尺部材である。また、前記第２枠部材７は、ガラス板８，８が上下に連設する部分に位置し、アルミ押出し型材で作製し、外面側に偏平な断面略Ｉ形の嵌合部材１２を外嵌する嵌合構造を有する厚さが薄い長尺部材である。また、前記第１枠部材６は、表側枠部材６Ａと裏側枠部材６Ｂとの２部材で構成し、最終的には互に弾性嵌合して一体化する。同様に、前記第２枠部材７は、表側枠部材７Ａと裏側枠部材７Ｂとの２部材で構成し、最終的には互に弾性嵌合して一体化する。
【００１８】
そして、最下段と最上段のガラスパネルＰ１を構成する枠体１０は、図２及び図３に示すように、表側枠体１０Ａと３本の裏側枠部材６Ｂと１本の裏側枠部材７Ｂとで構成し、前記表側枠体１０Ａは、両側部に表側枠部材６Ａ，６Ａを配置し、上下部の一方に表側枠部材６Ａと他方に表側枠部材７Ａを配置し、それらの端部を４５°に所定長さに切断し、大小のＬ字形連結金具１３，１４で連結して形成している。裏側には、両側部に裏側枠部材６Ｂ，６Ｂを配置し、上下部の一方に裏側枠部材６Ｂと他方に裏表側枠部材７Ｂを配置し、それらの端部を４５°に所定長さに切断している。最下段に用いる枠体１０は、下方に第１枠部材６が位置する向きで使用し、最上段に用いる枠体１０は、上方に第１枠部材６が位置する向きで使用する。そして、前記表側枠体１０Ａには、枠組みする際に、同時にガラス板８の周囲を保持しておき、ガラスパネルＰ１を構成する。尚、前記表側枠体１０Ａにガラス板８を組み込んだものも、更に前記表側枠体１０Ａに４本の裏側枠部材６Ｂ，７Ｂ，…を弾性嵌合して裏側枠体１０Ｂが構成されているものもガラスパネルＰ１とする。また、前記４本の裏側枠部材６Ｂ，７Ｂ，…を切断面で接合するとともに、小型のＬ字形連結金具で連結して裏側枠体１０Ｂを一体的に形成してもよい。
【００１９】
また、中段のガラスパネルＰ２を構成する枠体１１は、図２〜図１１に示すように、表側枠体１１Ａと２本の裏側枠部材６Ｂ，６Ｂ及び２本の裏側枠部材７Ｂ，７Ｂとで構成し、前記表側枠体１１Ａは、両側部に表側枠部材６Ａ，６Ａを配置し、上下部に表側枠部材７Ａ，７Ａを配置し、それらの端部を４５°に所定長さに切断し、大小のＬ字形連結金具１３，１４で連結して形成している。裏側には、両側部に裏側枠部材６Ｂ，６Ｂを配置し、上下部に裏表側枠部材７Ｂ，７Ｂを配置し、それらの端部を４５°に所定長さに切断している。そして、前記表側枠体１１Ａには、枠組み形成する際に、同時にガラス板８の周囲を保持しておき、ガラスパネルＰ２を構成する。尚、前記表側枠体１１Ａにガラス板８を組み込んだものも、更に前記表側枠体１１Ａに４本の裏側枠部材６Ｂ，７Ｂ，…を弾性嵌合して裏側枠体１１Ｂが構成されているものもガラスパネルＰ２とする。また、前記４本の裏側枠部材６Ｂ，６Ｂ、７Ｂ，７Ｂを切断面で接合するとともに、小型のＬ字形連結金具で連結して裏側枠体１１Ｂを一体的に形成してもよい。
【００２０】
ここで、前記笠木部材３、巾木部材４及び支柱５に対応する枠部材は、外側面で対応する部材を表裏両面から抱き込むように嵌合するので、必然的にパネル面内方向の厚さが厚いものを用いることになる。この部分に使用する部材が、前記第１枠部材６、即ち表側枠部材６Ａと裏側枠部材６Ｂである。尚、上下ガラス板８，８の連設部分は、視界を広げるためと、シャープな外観を呈するようにするために可能な限り上下寸法を小さくすることが望ましく、そのような部分に使用する部材が、前記第２枠部材７、即ち表側枠部材７Ａと裏側枠部材７Ｂである。
【００２１】
更に詳しくは、前記表側枠部材６Ａは、図２、図３、図７及び図１０に示すように、前記支柱１の表側面に当止する横幅の広い中実部１６を有し、該中実部１６の内側からパネル厚さ方向に延びた内面部１７を一体形成し、該内面部１７の内面側中央部に沿って前記ガラス板８の端部を嵌合する凹溝１８を形成し、更に該凹溝１８を挟んで中実部１６の側の内面部１７の内部に前記Ｌ字形連結金具１３の一片を嵌入する嵌合孔１９を形成するとともに、反対側の内面側には前記Ｌ字形連結金具１４の一片を収容する段落ち部２０を形成している。また、前記裏側枠部材６Ｂは、前記支柱１の裏側面に当止する横幅の広い中実部２１を有し、該中実部２１の内側からパネル厚さ方向に延びた内面板２２を有し、該内面板２２の先端は、前記表側枠部材６Ａの段落ち部２０の壁面に形成した係合凹部２３に嵌合し、該内面板２２と前記内面部１７とは面一になり、また前記中実部２１には前記表側枠部材６Ａの内面部１７の先端片を受け入れる係合段部２４を形成するとともに、前記中実部２１と内面板２２の基部との間に溝部２５を形成し、該溝部２５に前記Ｌ字形連結金具１５の一片を挿入できるようにするとともに、板ばね２６を嵌着できるようにしている。ここで、前記板ばね２６は、先端部が外側に断面ヘ字状に屈曲しており、この屈曲部が前記裏側枠部材６Ｂを表側枠部材６Ａに嵌合したときに、前記表側枠部材６Ａの段落ち部２０の内面に形成した係合溝２７に弾性的に係合するようになっている。また、前記板ばね２６の代わりに、前記裏側枠部材６Ｂの一部にばね作用のある弾性片を一体形成することも可能である。
【００２２】
また、前記表側枠部材７Ａは、図３、図６、図８及び図１０に示すように、前記表側枠部材６Ａの中実部１６を削ぎ落とした断面形状を有する偏平状の部材であり、つまりパネル厚さ方向に延びた内面部２８の内面側中央部に沿って前記ガラス板８の端部を嵌合する凹溝２９を形成し、更に該凹溝２９を挟んで表側の内部に前記Ｌ字形連結金具１３の一片を嵌入する嵌合孔３０を形成するとともに、反対側の内面側には前記Ｌ字形連結金具１４の一片を収容する段落ち部３１を形成している。また、前記裏側枠部材７Ｂは、前記裏側枠部材６Ｂの中実部２１を削ぎ落とした断面形状を有する偏平状の部材であり、つまりパネル厚さ方向に延びた内面板３２を有し、該内面板３２の先端は、前記表側枠部材７Ａの段落ち部３１の壁面に形成した係合凹部３３に嵌合し、該内面板３２と前記内面部２８とは面一になり、また前記内面板３２の裏側端から外面側に外側板３４を間に溝部３５を形成し、前記外側板３４には前記表側枠部材７Ａの内面部２８の先端片を受け入れる係合段部３６を形成するとともに、前記溝部３５に前記Ｌ字形連結金具１５の一片を挿入できるようにするとともに、板ばね３７を嵌着できるようにしている。ここでも、前記板ばね３７は、先端部が外側に断面ヘ字状に屈曲しており、この屈曲部が前記裏側枠部材７Ｂを表側枠部材７Ａに嵌合したときに、前記表側枠部材７Ａの段落ち部３１の内面に形成した係合溝３８に弾性的に係合するようになっている。また、前記表側枠部材７Ａの内面部２８の外側面に突条３９を形成するとともに、前記裏側枠部材７Ｂの外側板３４の先端で、前記突条３９と対称な位置に突条４０を外向きに突設している。
【００２３】
前記表側枠体１０Ａにおいて、両側部に配した縦枠部材としての表側枠部材６Ａ，６Ａと上下部の一方に配した横枠部材としての表側枠部材６Ａとの連結部は、同一部材であるので、互いの端部を４５°に切断して、切断面から前記Ｌ字形連結金具１３を両片を嵌合孔１９，１９に挿入し、外側面から内面部１７，１７にネジ４１，…を貫通させてＬ字形連結金具１３に螺合する。また、コーナー部内面側の両段落ち部２０，２０に前記Ｌ字形連結金具１４の両片をあてがい、外側面から内面部１７，１７を貫通させたネジ４１，…をＬ字形連結金具１４に螺合する。この場合、前記Ｌ字形連結金具１４の端部は、内面部１７、２８よりも裏面側に突出するように寸法設定するとともに、この突出部に内側へハゼ折りして厚さを増している。一方、裏側において、裏側枠部材６Ｂ，６Ｂ同士の連結も同一部材であるので、互いの端部を４５°に切断して、該切断面を突き合わせ可能としている。
【００２４】
また、前記表側枠体１０Ａにおいて、両側部に配した縦枠部材としての表側枠部材６Ａ，６Ａと上下部の他方に配した横枠部材としての表側枠部材７Ａとの連結部は、あるいは前記表側枠体１１Ａにおける両側部に配した縦枠部材としての表側枠部材６Ａ，６Ａと上下部に配した横枠部材としての表側枠部材７Ａ，７Ａとの連結部は、各部材の厚さが異なるので工夫が必要である。つまり、厚さの薄い前記表側枠部材７Ａの端部と、該表側枠部材７Ａの厚さに相当する前記表側枠部材６Ａの内側部のみを４５°に切断して傾斜切断面４３，４３を形成するとともに、前記中実部１６の大部分は、表側枠部材６Ａの長手方向に直交する面、即ち水平切断面４４とし、前記表側枠部材７Ａの傾斜切断面４３と前記表側枠部材６Ａの傾斜切断面４３を突き合わせるとともに、切断面から前記Ｌ字形連結金具１３を両片を嵌合孔１９，３０に挿入し、外側面から内面部１７，２８にネジ４１，…を貫通させてＬ字形連結金具１３に螺合し、更にコーナー部内面側の両段落ち部２０，３１に前記Ｌ字形連結金具１４の両片をあてがい、外側面から内面部１７，２８を貫通させたネジ４１，…をＬ字形連結金具１４に螺合する。
【００２５】
また、前記裏側枠体１０Ｂ及び裏側枠体１１Ｂを構成する裏側枠部材６Ｂと裏側枠部材７Ｂとの接合部も同様に、厚さの薄い前記裏側枠部材７Ｂの端部と、該裏側枠部材７Ｂの厚さに相当する前記裏側枠部材６Ｂの内側部のみを４５°に切断して傾斜切断面４５，４５を形成するとともに、前記中実部２１の大部分は、裏側枠部材６Ｂの長手方向に直交する面、即ち水平切断面４６とし、前記裏側枠部材７Ｂの傾斜切断面４５と前記裏側枠部材６Ｂの傾斜切断面４５を突き合わせることができるようにしている。
【００２６】
このように、厚さの異なる表側枠部材６Ａと表側枠部材７Ａのコーナー連結部、裏側枠部材６Ｂと裏側枠部材７Ｂのコーナー接合部において、厚さの厚い表側枠部材６Ａに設けた中実部１６と裏側枠部材６Ｂに設けた中実部２１を利用し、この中実部１６，２１を部材の長手方向に直交する水平切断面４４，４６とすることにより、全ての部材を４５°の傾斜切断面で突き合わせ連結しても、厚さの厚い表側枠部材６Ａと裏側枠部材６Ｂの内部構造が見えることがなく、また水平切断面４４，４６の端部は直角であり、しかも適宜面取り加工しても外観性を損なわないので、コーナー部で金属バリが無くなり、もって引っ掻き傷を付ける心配もなくなるとともに、外観性においても優れたものとなる。
【００２７】
次に、ガラスパネル装置の全体構造と施工手順を説明する。先ず、前記天レール１は、下方開放した断面略コ字形のチャンネル部材であり、天井Ｓにアンカーボルトで固定されている。また、前記地レール２は、上方開放した断面略コ字形のチャンネル部材であり、床面Ｆにアンカーボルトで固定されている。そして、前記笠木部材３は、図３及び図１２に示すように、アルミ押出し型材で作製し、前記天レール１内に臨む中央部の基板４７の両側に前記天レール１の両垂下板４８，４８を受け入れる逃がし溝４９，４９を形成するとともに、外側に前記垂下板４８，４８の外側面に摺接するように側面板５０，５０を立ち上げ、各側面板５０の外側面であって上部に幅広の水平板５１を突設するとともに、その下方に間隔をおいて下面が水平で上面が傾斜した先細の突片５２を突設している。ここで、前記水平板５１は、前記突片５２よりも十分に横幅が広く、側方への突出高さが高くなっている。
【００２８】
そして、前記笠木部材３は、アングル金具５３で前記基板４７を前記支柱５の内側面にネジ止めしている。また、前記笠木部材３の両側面板５０，５０の下部は、前記ガラスパネルＰ１の枠体１０を構成する表側枠部材６Ａの中実部１６と、裏側枠部材６Ｂの中実部２１とが外嵌している。そして、前記笠木カバー９は、図３及び図１２に示すように、アルミ押出し型材で作製し、表面の化粧板５４の裏面であって上部に、前記笠木部材３の水平板５１の上面に載置する上突条部５５と、下端部に前記突片５２の下面に係止するとともに、前記枠体１０の上端面に当接する下突条部５６を形成している。更に、前記上突条部５５の先端部は断面略Ｃ字形の保持部５７となっており、該保持部５７にリップシール５８を嵌着するとともに、前記下突条部５６の先端部は断面略コ字形となっている。また、前記笠木カバー９の化粧板５４の上縁には、前記上突条部５５を突設した側に爪片５９を突設して、前記上突条部５５との間に係合溝６０を形成している。この係合溝６０をハンギングレールとして利用し、オプション器具を係止することも可能である。
【００２９】
そして、前記笠木カバー９を笠木部材３の側面に装着するには、先ず笠木カバー９の上突条部５５を水平板５１に載置して位置決めした状態で、該笠木カバー９を笠木部材３の側面板５０に接近するようにスライド移動させれば、前記下突条部５６が前記突片５２の下面に係合するとともに、前記枠体１０の上端面に当接する。このとき、前記リップシール５８は、前記天レール１の垂下板４８に圧接して防音機能を果たすとともに、前記下突条部５６は、ガラスパネルＰ１の上動を規制するのである。ここで、前記笠木カバー９は長尺部材であり、撓みや変形が避けられず、全長にわたって同時に笠木部材３に嵌合することは、通常は難しいが、前述のように最初に幅の広い水平板５１に上突条部５５の全長を載置して位置決めするので、該水平板５１が案内となって容易に嵌合することができるのである。また、前記ガラスパネルＰ１を外したりする場合に、前記笠木カバー９を外さなければならないが、その場合には前記係合溝６０に指を入れて爪片５９を引けば容易に外すことができる。
【００３０】
また、図３に示すように、前記巾木部材４は、アルミ押出し型材で作製し、上部に前記ガラスパネルＰ１の枠体１０を構成する表側枠部材６Ａの中実部１６と、裏側枠部材６Ｂの中実部２１とが外嵌する嵌合部６１を形成するとともに、該嵌合部６１の両側に中空の巾木部６２，６２を垂下し、両巾木部６２，６２が前記地レール２を外嵌することができるようになっている。ここで、前記地レール２の溝内にはアジャスター６３を所定間隔毎に設け、前記巾木部材４のレベルを調整できるようになっている。
【００３１】
そして、本実施形態に係るガラスパネル装置を施工するには、前述のように天井Ｓと床面Ｆに設けた巾木部材４と天レール１間に複数の前記支柱５，…を一定間隔毎に立設する。それには、前記巾木部材４の嵌合部６１に開口を形成し、該開口内に支柱５の下端を嵌合してもよい。また、前記支柱５の上端部は、天固定部材により天レール１内に固定される。そして、下方から順にガラスパネルＰ１、ガラスパネルＰ２，…、ガラスパネルＰ１と建て込むが、それにはガラス板８を予め固定した表側枠体１０Ａを両側の支柱５，５間に表側から装着するた後、裏側から裏側枠体１０Ｂを構成する各裏側枠部材６Ｂ，７Ｂ，…を装着し、両者を弾性的に嵌合して取付けるとともに、前記Ｌ字形連結金具１４の突出部のハゼ折り部分を溝部２５，３５に嵌入し、切断面がぴったりと接合するようにしている。具体的には、図７に示すように、表側枠体１０Ａを構成する両側の表側枠部材６Ａ，６Ａの内面部１７，１７を支柱５，５間に挿入し、両支柱５，５の表側面に側方へ突出した中実部１６，１６を当止すると同時に、表側枠体１０Ａの下部の表側枠部材６Ａの下面を前記巾木部材４の嵌合部６１に載置する。その状態で、両側の表側枠部材６Ａ，６Ａの内面部１７，１７を段落ち部２０，２０において内方からタッピンネジ６４，…で支柱５の内側面に螺着する。それから、裏側から裏側枠体１０Ｂを構成する裏側枠部材６Ｂ，…と裏側枠部材７Ｂを対応する表側枠部材６Ａ，…と表側枠部材７Ａに前述のように弾性嵌合する。この状態で、両側の裏側枠部材６Ｂ，６Ｂの中実部２１，２１が支柱５の裏側面に当接する。従って、枠体１０を装着した状態では、前記内面部１７と中実部１６，２１とで形成される凹溝部内に支柱５の内側部が嵌合した状態となる。
【００３２】
それから、前記ガラスパネルＰ１の枠体１０の上面に、偏平な断面略Ｉ形の嵌合部材１２を載置した後、その上に前記表側枠体１１Ａを載置した状態で同様に支柱５，５にタッピンネジ６４，…で螺着する。それから、前記同様に裏側から前記ガラスパネルＰ２の裏側枠体１１Ｂを構成する裏側枠部材６Ｂ，７Ｂ，…を弾性嵌合する。図９に示すように、枠体１０の上側の第２枠部材７の上に、前記嵌合部材１２を介在させて枠体１１の下側の第２枠部材７が載置嵌合される。この二つの枠体１０、１１の凹凸嵌合して重なった第２枠部材７，７は、あたかも一体的な扁平な横枠部材のような外観を呈する。また、両第２枠部材７，７は、前記嵌合部材１２を介して凹凸嵌合しているので、表裏方向にずれることは全くない。同様に、他のガラスパネルＰ２，…を装着し、最後のガラスパネルＰ１を装着した後、最終的に笠木部材３を支柱５にネジ止めし、笠木部材３に笠木カバー９，９を嵌着するのである。
【００３３】
また、本実施形態では、前記ガラス板８は、前記表側枠体１０Ａ、１１Ａを組立てる際に、同時の枠部材の凹溝１８，２９内に周縁部を嵌合して一体化するのである。この際、各凹溝１８，２９内の底面部には、両面粘着シート６５を貼り、ガラス板８の端面と粘着している。このように、ガラス板８の周囲を表側枠体１０Ａ、１１Ａで取り囲んだ状態で一体化したので、搬送が容易になり、またガラス板８の不意の損傷を防止でき、更にガラス専門業者がいなくても容易に施工することができるのである。
【００３４】
前記ガラスパネル装置は、図１３〜図１６に示した通常の間仕切パネル装置と組み合わせて使用することも多い。この間仕切パネル装置は、前述のガラスパネル装置で用いた共通部材を用いて構成する。図２及び図１３に示すように、一定間隔毎に立設した支柱５，５間に、全高にわたって一枚物のパネル板６６，６６を表裏両側に設けたり、上下分割した分割パネル板６７，６７を表裏両側に設ける場合もある。先ず、前記パネル板６６，６６を両支柱５，５の表裏両側に装着するには、図２及び図１４に示すように、前記支柱５の内側面にアングル材からなる保持片６８，６８をネジ止めし、該保持片６８に設けた係止孔（図示せず）に係止具６９を係止し、該係止具６９を利用してパネル板６６の両側部を係止するのである。前記分割パネル板６７を取付けるには、上下境界部に横桟７０をアングル金具７１を用いて支柱５，５の内側面間に横設し、該分割パネル板６７の両側部は前記同様に係止具６９を用いて係止する。前記パネル板６６や分割パネル板６７は、係止具６９，…に嵌合係止しただけであるので、上方へ持ち上げれば容易に外れてしまうが、図１６に示すように、前記笠木部材３に笠木カバー９，９を装着することにより、前記下突条部５６が前記突片５２の下面と前記パネル板６６又は分割パネル板６７の上端面との間に嵌合するので、該パネル板６６又は分割パネル板６７の上動が規制されるので、外れることがないのである。
【図面の簡単な説明】
【００３５】
【図１】本実施形態に係るガラスパネル装置の簡略正面図である。
【図２】同じく部分横断平面図である。
【図３】同じく部分縦断側面図である。
【図４】枠体にガラス板を組み込んだ状態のガラスパネルの一部を示す省略平面図である。
【図５】同じく正面図である。
【図６】図４のＸ−Ｘ線断面図である。
【図７】支柱に第１枠部材を取付ける構造を示した部分横断面図であり、（ａ）は表側枠部材を支柱にネジ止めした状態、（ｂ）は表側枠部材に裏側枠部材を嵌合する途中の状態、（ｃ）は表側枠部材に裏側枠部材を弾性嵌合した状態をそれぞれ示している。
【図８】支柱に第２枠部材を取付ける構造を示した部分縦断面図であり、（ａ）は表側枠部材を支柱にネジ止めした状態、（ｂ）は表側枠部材に裏側枠部材を嵌合する途中の状態、（ｃ）は表側枠部材に裏側枠部材を弾性嵌合した状態をそれぞれ示している。
【図９】上下の枠体の第２枠部材同士の嵌合構造を示す部分縦断面図である。
【図１０】第１枠部材と第２枠部材のコーナー連結部の分解斜視図である。
【図１１】第１枠部材と第２枠部材のコーナー連結部の組立て状態の解斜視図である。
【図１２】天レールと笠木部材と笠木カバーの関係を示す分解斜視図である。
【図１３】間仕切パネル装置の簡略正面図である。
【図１４】同じく部分横断平面図である。
【図１５】同じく部分縦断側面図である。
【図１６】同じく上部構造を示す部分拡大縦断側面図である。
【符号の説明】
【００３６】
１  天レール、          ２  地レール、
３  笠木部材、          ４  巾木部材
５  支柱、              ６  第１枠部材、
６Ａ  表側枠部材、      ６Ｂ  裏側枠部材、
７  第２枠部材、        ７Ａ  表側枠部材、
７Ｂ  裏側枠部材、      ８  ガラス板、
９  笠木カバー、        １０  枠体、
１０Ａ  表側枠体、      １０Ｂ  裏側枠体、
１１  枠体、            １１Ａ  表側枠体、
１１Ｂ  裏側枠体、      １２  嵌合部材、
１３  Ｌ字形連結金具、  １４  Ｌ字形連結金具、
１６  中実部、          １７  内面部、
１８  凹溝、            １９  嵌合孔、
２０  段落ち部、        ２１  中実部、
２２  内面板、          ２３  係合凹部、
２４  係合段部、        ２５  溝部、
２６  板ばね、          ２７  係合溝、
２８  内面部、          ２９  凹溝、
３０  嵌合孔、          ３１  段落ち部、
３２  内面板、          ３３  係合凹部、
３４  外側板、          ３５  溝部、
３６  係合段部、        ３７  板ばね、
３８  係合溝、          ３９  突条、
４０  突条、            ４１  ネジ、
４３  傾斜切断面、      ４４  水平切断面、
４５  傾斜切断面、      ４６  水平切断面、
４７  基板、            ４８  垂下板、
４９  逃がし溝、        ５０  側面板、
５１  水平板、          ５２  突片、
５３  アングル金具、    ５４  化粧板、
５５  上突条部、        ５６  下突条部、
５７  保持部、          ５８  リップシール、
５９  爪片、            ６０  係合溝、
６１  嵌合部、          ６２  巾木部、
６３  アジャスター、    ６４  タッピンネジ、
６５  両面粘着シート、  ６６  パネル板、
６７  分割パネル板、    ６８  保持片、
６９  係止具、          ７０  横桟、
７１  アングル金具、
Ｓ  天井、              Ｆ  床面、
Ｐ１，Ｐ２  ガラスパネル。
【図１】
2008069609.tif 000003
【図２】
2008069609.tif 000004
【図３】
2008069609.tif 000005
【図４】
2008069609.tif 000006
【図５】
2008069609.tif 000007
【図６】
2008069609.tif 000008
【図７】
2008069609.tif 000009
【図８】
2008069609.tif 000010
【図９】
2008069609.tif 000011
【図１０】
2008069609.tif 000012
【図１１】
2008069609.tif 000013
【図１２】
2008069609.tif 000014
【図１３】
2008069609.tif 000015
【図１４】
2008069609.tif 000016
【図１５】
2008069609.tif 000017
【図１６】
2008069609.tif 000018